(57)【要約】【課題】表示装置において、ＡＴＭ等の設置環境に応じて、画面に表示された内容の覗き見防止のための視野角を調整できるようにする。【解決手段】画面表示を行なう表示手段と、光透過帯と遮光帯が交互に配された遮光フィルタと、前記表示手段と前記遮光フィルタを保護する保護板とから構成され、前記表示手段の画面上部に前記遮光フィルタを配置した覗き見防止機能付き表示装置であって、前記遮光フィルタの端を支持する支持手段と、前記遮光フィルタの一部を前記表示手段の画面垂直方向に可動させる可動機構とを設けるようにした。【選択図】図１
2009192884.tif 000002
【特許請求の範囲】
【請求項１】
画面表示を行なう表示手段と、光透過帯と遮光帯が交互に配された遮光フィルタと、前記表示手段と前記遮光フィルタを保護する保護板とから構成され、前記表示手段の画面上部に前記遮光フィルタを配置した覗き見防止機能付き表示装置であって、
前記遮光フィルタの端を支持する支持手段と、
前記遮光フィルタの一部を前記表示手段の画面垂直方向に可動させる可動機構と、
を設け、視野角を調整可能としたことを特徴とする覗き見防止機能付き表示装置。
【請求項２】
前記遮光フィルタは、前記表示手段の画面垂直方向に湾曲可能な遮光フィルタから構成し、
前記可動機構は、当該遮光フィルタの中央両端を前記表示手段の画面垂直方向に可動させる機構であることを特徴とする請求項１記載の覗き見防止機能付き表示装置。
【請求項３】
前記遮光フィルタは、複数枚から構成し、
前記可動機構は、当該遮光フィルタの片端を前記表示手段の画面垂直方向に可動させる機構であることを特徴とする請求項１記載の覗き見防止機能付き表示装置。
【請求項４】
前記可動機構は、それぞれ独立に可動可能としたことを特徴とする請求項３記載の覗き見防止機能付き表示装置。
【請求項５】
前記可動機構は、前記表示手段の表示内容の重要度と当該可動機構の可動位置とを対応づけした手段を具備し、当該手段に基づき、前記表示内容の重要度に応じて可動量を自動調整することを特徴とする請求項１乃至４記載の覗き見防止機能付き表示装置。
【請求項６】
前記可動機構は、同軸上にローラを配置した手動ボリュームによる可動機構であることを特徴とする請求項１および請求項２記載の覗き見防止機能付き表示装置。
【発明の詳細な説明】
【技術分野】
【０００１】
本発明は、画面に表示された内容の覗き見を防止する表示装置に関する。
【背景技術】
【０００２】
従来、銀行の現金自動取引装置（以下、ＡＴＭという。）等の画面に表示された内容の覗き見防止手段において、光透過帯と遮光帯を交互に配したルーバー層を備えた遮光フィルタをＬＣＤ等の表示画面上に配置し、該表示画面からの光源を遮断することにより、左右方向の視野角を制限し覗き見を防止する技術があった。
【０００３】
さらに、前記ＡＴＭの表示画面を見る使用者と対向する位置に故意に設置されたカメラの盗撮も防止する方法として、前記ルーバー層と、表面に対して遮光帯が斜傾したルーバー層とを遮光帯の長さ方向に直交する方向に重ねた２層のルーバー層から構成された遮光フィルタによって前後方向の視野角も制限する技術はあった（例えば、特許文献１参照）。
【特許文献１】特開２００７−２１２５０７
【発明の開示】
【発明が解決しようとする課題】
【０００４】
しかしながら、上記従来の技術では、画面の視野角は遮光フィルタの遮光角に依存してしまうため一定となり、ＡＴＭ等の設置環境に応じて、画面に表示された内容の覗き見防止のための視野角を調整することができなかった。
【課題を解決するための手段】
【０００５】
本発明は、前述の課題を解決するために次の手段を採用する。画面表示を行な
う表示手段と、光透過帯と遮光帯が交互に配された遮光フィルタと、前記表示手段と前記遮光フィルタを保護する保護板とから構成され、前記表示手段の画面上部に前記遮光フィルタを配置した覗き見防止機能付き表示装置であって、前記遮光フィルタの端を支持する支持手段と、前記遮光フィルタの一部を前記表示手段の画面垂直方向に可動させる可動機構とを設けるようにした。
【発明の効果】
【０００６】
本発明の覗き見防止機能付き表示装置によれば、前記遮光フィルタの端を支持する支持手段と、前記遮光フィルタの一部を前記表示手段の画面垂直方向に可動させる可動機構とを設けるようにしたので、ＡＴＭ等の設置環境に応じて、画面に表示された内容の覗き見防止のための視野角を調整することができる。
【発明を実施するための最良の形態】
【０００７】
以下、本発明に係る実施形態例を、図面を用いて説明する。なお図面に共通する要素には同一の符号を付す。
【実施例１】
【０００８】
（構成）
図１は実施例１の覗き見防止機能付き表示装置を示す外観図である。同図に示したように、実施例１の覗き見防止機能付き表示装置は、画面表示を行うＬＣＤ７と、光透過帯２ａと遮光帯２ｂとが交互に配されたルーバー層２と当該ルーバー層の上下面に貼付されている透明樹脂層３とからなる遮光フィルタ１と、当該遮光フィルタの上部に配置され当該遮光フィルタ１および前記ＬＣＤ７を保護するアクリル板６（保護板）と、前記遮光フィルタ１の両端を支持する支持台４ａと、前記遮光フィルタ１の中央両端を上下から挟み込み、図示しないモータ等でＬＣＤ７の垂直方向に可動する昇降スライダ５ａと、から構成されている。
【０００９】
また、図２に示したように昇降スライダ５ａの上部には前記遮光フィルタ１の厚み分のコの字形の爪が２箇所あり、図３（ｂ）に示したように当該箇所に前記遮光フィルタ１の中央両端を上下から挟み込む構成となっており、昇降スライダ５ａの下部はＬＣＤ７の背面に位置するよう配置されている。
【００１０】
（動作）
以上の構成により実施例１の覗き見防止機能付き表示装置は、以下のように動作する。この動作を図３および図４の実施例１の覗き見防止機能付き表示装置の側面図を用いて以下詳細に説明する。
【００１１】
まず、通常状態は、図３（ａ）に示すように昇降スライダ５ａはアクリル板６の真下の高さに位置し、遮光フィルタ１の両端は支持台４ａに支えられ、ＬＣＤ７と平行に配置されている。この時の左右の視野角は最大となっている。
【００１２】
次に、左右の視野角を狭くするために昇降スライダ５ａを可動させる。図４に示すように図示しないモータ等で昇降スライダ５ａを下方向に可動させると、遮光フィルタ１は中央部が引っ張られ下に凸に湾曲し、遮光フィルタ１の中央部下端がＬＣＤ７の上面に到達したときに湾曲が最大となる。図４に示すように、この時の左右の視野角は点線位置から実線位置へ狭くなり、最小となっている。
【００１３】
したがって、昇降スライダ５ａの可動位置を変えることで、図４に示すように左右の視野角を点線位置から実線位置の範囲で調整することができる。
【００１４】
以上の実施例１の説明では、昇降スライダがモータ等により自動で可動する例を説明したが、図５に示すように、バネ１１と線材９を昇降スライダ５ａに接続し、ボリューム８と、当該ボリューム８の同軸上に配置されたローラ８ａと、２つのローラ８ｂ、８ｃとから構成された機構によって線材９を巻き取り、昇降スライダ５ａを可動させるようにしてもよい。
【００１５】
図５の構成とすることにより、図６に示すようにボリューム８を左右に回して可動量を調整し、ロック機構１２にてボリューム８の回転を固定して、昇降スライダ５ａの位置を固定することにより、以上説明した実施例１の効果と同様、視野角を調整することができる。
【００１６】
（実施例１の効果）
以上のように、実施例１の覗き見防止機能付き表示装置によれば、画面表示を行なう表示手段と、光透過帯と遮光帯が交互に配されたルーバー層と当該ルーバー層の上下面に貼付されている透明樹脂層とからなる遮光フィルタと、前記表示手段と前記遮光フィルタを保護するアクリル板とから構成され、前記表示手段の画面上部に前記遮光フィルタを配置した覗き見防止機能付き表示装置であって、前記遮光フィルタの端を支持する支持台と、前記遮光フィルタの中央両端を前記表示手段の画面垂直方向に可動させる可動機構とを設けるようにしたので、ＡＴＭ等の設置環境に応じて、画面に表示された内容の覗き見防止のための視野角を調整することができる。
【実施例２】
【００１７】
（構成）
図７は実施例２の覗き見防止機能付き表示装置を示す外観図である。同図に示したように、実施例２の覗き見防止機能付き表示装置は、画面表示を行うＬＣＤ７と、中央で分割された２枚の遮光フィルタ１と、当該遮光フィルタの上部に配置され当該遮光フィルタ１および前記ＬＣＤ７を保護するアクリル板６と、前記遮光フィルタ１の片端を支持する支持台４ａと、前記２枚の遮光フィルタ１の片端をそれぞれ載置し図示しないモータ等でＬＣＤ７の垂直方向に可動する昇降スライダ５ｂと、から構成されている。
【００１８】
なお、遮光フィルタ１は、実施例１と同様に、光透過帯２ａと遮光帯２ｂとが交互に配されたルーバー層２と当該ルーバー層の上下面に貼付されている透明樹脂層３とから構成されている。
【００１９】
また、図８に示したように昇降スライダ５ｂの上部の爪はＴ字に凸の形状をしており、窪み部分に前記２枚の遮光フィルタ１の片端をそれぞれ載置する構成となっており、図９に示したように昇降スライダ５ａの下部はＬＣＤ７の背面に位置するよう配置されている。
【００２０】
（動作）
以上の構成により実施例２の覗き見防止機能付き表示装置は、以下のように動作する。この動作を図９および図１０の覗き見防止機能付き表示装置の側面図を用いて以下詳細に説明する。
【００２１】
まず、通常状態は、図９（ａ）に示すように昇降スライダ５ｂはアクリル板６のほぼ真下の高さに位置し、２枚の遮光フィルタ１の片端はそれぞれ支持台４ａに支えられ、ＬＣＤ７と平行に配置されている。この時の左右の視野角は最大となっている。
【００２２】
次に、左右の視野角を狭くするために昇降スライダ５ｂを可動させる。図１０に示すように図示しないモータ等で昇降スライダ５ｂを下方向に可動させると、２枚の遮光フィルタ１の片端がそれぞれ同時に下がり、当該片端がＬＣＤ７の上面に到達したときに２枚の遮光フィルタ１の傾斜がそれぞれ最大となる。図１０に示すように、この時の左右の視野角は点線位置から実線位置へ狭くなり、最小となっている。
【００２３】
したがって、昇降スライダ５ｂの可動位置を変えることで左右の視野角を点線位置から実線位置の範囲で調整することができる。
【００２４】
以上の実施例２の説明では、昇降スライダ５ｂが遮光フィルタ１の水平位置よりも下側で可動する例を説明したが、図１１に示すように、前記遮光フィルタ１の上端にさらに支持台４ｂを設け、アクリル板６と前記遮光フィルタ１との間に前記昇降スライダ５ｂの可動エリアを確保する構成とし、前記昇降スライダ５ｂを前記遮光フィルタ１の水平位置より上側にも可動するようにしてもよい。
【００２５】
図１１の構成とし、前記昇降スライダ５ｂが前記遮光フィルタ１の水平位置より上側に可動することにより、左右の視野角を広げる方向にも調整することができる。
【００２６】
また、図１２に示すように単一の昇降スライダ５ｂを分割し、図１３に示すような昇降スライダ１０ａ、１０ｂの構成とし、２枚の遮光フィルタ１をそれぞれ独立に可動するようにしてもよい。
【００２７】
図１２の構成とし、前記昇降スライダ１０ａ、１０ｂをそれぞれ独立に可動することにより、図１４に示すように左側の視野角と右側の視野角を独立に調整することができる。
【００２８】
また、実施例２の説明では遮光フィルタが２枚構成の例を説明したが、３枚以上の複数枚の構成としてもよい。
【００２９】
（実施例２の効果）
以上のように、実施例１の覗き見防止機能付き表示装置によれば、画面表示を行なう表示手段と、光透過帯と遮光帯が交互に配されたルーバー層と当該ルーバー層の上下面に貼付されている透明樹脂層とからなる遮光フィルタと、前記表示手段と前記遮光フィルタを保護するアクリル板とから構成され、前記表示手段の画面上部に前記遮光フィルタを配置した覗き見防止機能付き表示装置であって、２枚で構成された前記遮光フィルタと、当該遮光フィルタの端を支持する支持台と、当該遮光フィルタの片端を前記表示手段の画面垂直方向に可動させる機構とを設けるようにしたので、当該遮光フィルタに湾曲等のストレスを与えることなく、ＡＴＭ等の設置環境に応じて、画面に表示された内容の覗き見防止のための視野角を調整することができる。
【００３０】
《その他の変形例》
以上の実施例の説明では中央位置にて遮光フィルタを可動させる例を説明したが、中央位置を支点とし、端位置を可動させる構成としてもよい。
【００３１】
また、図１５に示すようなＡＴＭ等の表示画面の内容（取引中、金額表示、暗証番号入力など）の重要度と昇降スライダの可動位置を対応づけたテーブルを具備し、当該テーブルを用いて、表示内容の重要度に応じて前記昇降スライダの可動位置を変化させ、顧客待受画面や宣伝広告表示時などは自動的に視野角を広げ、暗証番号入力画面などは自動的に視野角を狭くするようにしてもよい。
【００３２】
また、遮光フィルタを保護する保護板はタッチパネルであってもよい。
【産業上の利用可能性】
【００３３】
以上述べたように、本発明は画面に表示された内容の覗き見を防止する表示装置に広く用いることができる。
【図面の簡単な説明】
【００３４】
【図１】実施例１の覗き見防止機能付き表示装置を示す外観図である。
【図２】実施例１の昇降スライダ５ａの外観図である。
【図３】（ａ）は図１のＡ方向からみた側面図、（ｂ）は図１のＢ−Ｂ´断面図である。
【図４】実施例１の覗き見防止機能付き表示装置の側面図である。
【図５】実施例１の手動ボリュームの場合の側面図である。
【図６】実施例１の手動ボリュームの場合の外観図である。
【図７】実施例２の覗き見防止機能付き表示装置の外観図である。
【図８】実施例２の昇降スライダ５ｂの外観図である。
【図９】（ａ）は図７のＡ方向からみた側面図、（ｂ）は図７のＣ−Ｃ´断面図である。
【図１０】実施例２の覗き見防止機能付き表示装置の側面図である。
【図１１】実施例２の変形例１の側面図である。
【図１２】実施例２の変形例２の外観図である。
【図１３】実施例２の変形例２の昇降スライダ１０ａ、１０ｂの外観図である。
【図１４】実施例２の変形例２の側面図である。
【図１５】表示画面の内容の重要度と昇降スライダの可動位置を対応づけたテーブルの例
【符号の説明】
【００３５】
１  遮光フィルタ
４ａ  支持台
５ａ  昇降スライダ
６  アクリル板
７  ＬＣＤ
【図１】
2009192884.tif 000003
【図２】
2009192884.tif 000004
【図３】
2009192884.tif 000005
【図４】
2009192884.tif 000006
【図５】
2009192884.tif 000007
【図６】
2009192884.tif 000008
【図７】
2009192884.tif 000009
【図８】
2009192884.tif 000010
【図９】
2009192884.tif 000011
【図１０】
2009192884.tif 000012
【図１１】
2009192884.tif 000013
【図１２】
2009192884.tif 000014
【図１３】
2009192884.tif 000015
【図１４】
2009192884.tif 000016
【図１５】
2009192884.tif 000017